(57)【要約】【課題】通信装置において、保守者の手順誤りや保守回線の一時的な障害により、冗長構成を取る記憶装置に格納された制御ソフトウェアが破壊された場合、通信装置の交換を行うことなく遠隔から通信装置の復旧を可能とするシステムを提供する。【解決手段】正常に起動されない、または装置監視プロトコルによる通信ができない無線通信装置１０１の異常を検知した網監視装置３０１から中継装置２０１にブート指示信号７０１を送信する。ブート指示信号７０１を受けた中継装置２０１は、無線通信装置１０１にデータリンク層の信号を使用しブート制御信号７０２を送信する。ブート制御信号７０２を受信した無線通信装置１０１は、ブート制御信号７０２に基づき網監視装置３０１から復旧プログラムの転送を受け起動する。このように遠隔に存在する網監視装置３０１の有する復旧プログラムにより起動することで、起動後における網監視装置３０１から制御が可能となる。【選択図】        図１
2006108965.tif 000002
【特許請求の範囲】
【請求項１】
通信を行う通信装置と、前記通信装置を監視する監視装置とを備えた監視システムにおいて、
前記監視装置は、
前記通信装置の監視のための装置監視プロトコルにより前記通信装置を監視し、監視の結果、前記通信装置の異常を検知した場合に、前記装置監視プロトコルから独立した独立プロトコルにより前記通信装置の再起動を指示する再起動指示信号を前記通信装置に送信し、
前記通信装置は、
前記監視装置が前記独立プロトコルにより送信した前記再起動指示信号を受信し、受信した前記再起動指示信号に基づいて再起動することを特徴とする監視システム。
【請求項２】
前記監視装置は、
自己のアドレスと前記通信装置の再起動に使用する再起動データとを所有し、前記再起動指示信号に前記アドレスを含めて送信し、
前記通信装置は、
前記監視装置が送信した前記アドレスを含む前記再起動指示信号を受信し、受信した前記再起動指示信号に含まれる前記アドレスに基づいて前記監視装置に前記再起動データを要求することを特徴とする請求項１記載の監視システム。
【請求項３】
前記再起動データは、
前記通信装置の再起動に使用する再起動プログラムであることを特徴とする請求項２記載の監視システム。
【請求項４】
通信を行う通信装置を監視する監視装置において、
前記通信装置の監視のための装置監視プロトコルにより前記通信装置を監視し、監視の結果、前記通信装置の異常を検知した場合に、前記装置監視プロトコルから独立した独立プロトコルにより前記通信装置の再起動を指示する再起動指示信号を前記通信装置に送信して、前記通信装置を再起動させることを特徴とする監視装置。
【請求項５】
通信を行う通信装置において、
異常の発生を監視する装置監視プロトコルにより異常の発生を監視する監視装置から監視され、異常が発生した場合に、異常の発生を検知した前記監視装置から、再起動を指示する再起動指示信号を前記装置監視プロトコルから独立した独立プロトコルにより受信し、受信した前記再起動指示信号に基づいて再起動することを特徴とする通信装置。
【請求項６】
通信を行う通信装置と、前記通信装置の監視のための装置監視プロトコルにより前記通信装置を監視する監視装置とを備えた監視システムにおいて、
前記通信装置は、
自己に異常が発生した場合に、異常の発生を示す異常通知信号を前記装置監視プロトコルから独立した独立プロトコルにより前記監視装置に送信し、
前記監視装置は、
前記通信装置から前記異常通知信号を受信した場合に、前記通信装置の再起動を指示する再起動指示信号を前記独立プロトコルにより前記通信装置に送信し、
前記通信装置は、
前記監視装置が前記独立プロトコルにより送信した前記再起動指示信号を受信し、受信した前記再起動指示信号に基づいて再起動することを特徴とする監視システム。
【請求項７】
通信を行う通信装置を監視する装置監視プロトコルにより前記通信装置を監視する監視装置において、
自己の異常を検知した前記通信装置から異常の発生を示す異常通知信号を前記装置監視プロトコルから独立した独立プロトコルにより受信し、受信した前記異常通知信号に応答して、前記通信装置の再起動を指示する再起動指示信号を前記独立プロトコルにより前記通信装置に送信して再起動させることを特徴とする監視装置。
【請求項８】
通信を行うとともに、監視のための装置監視プロトコルにより監視する監視装置から監視を受ける通信装置において、
自己に異常が発生した場合に、異常の発生を示す異常通知信号を前記装置監視プロトコルから独立した独立プロトコルにより前記監視装置に送信し、送信した前記異常通知信号に対する応答として前記監視装置から再起動を指示する再起動指示信号を前記独立プロトコルにより受信し、受信した前記再起動指示信号に基づいて再起動することを特徴とする通信装置。
【請求項９】
前記独立プロトコルは、
前記装置監視プロトコルよりも下位であることを特徴とする請求項１または２または３または６記載の監視システム。
【発明の詳細な説明】
【技術分野】
【０００１】
本発明は通信装置に関し、特に通信装置に対して制御ソフトウェアのファイル更新や動作条件を決定する各種データ更新を遠隔にて実施する監視システムに関する。
【背景技術】
【０００２】
従来の通信装置において制御ソフトウェア、設定情報の更新失敗時の復旧方法として複数の方法があった。例えば、保守装置に設定情報を転送する際に復旧時に再利用可能とするためにＩＤを付与し、復旧動作を行う機器からの要求時にはこのＩＤを転送することにより、複数の機器と対応する設定情報を一意に決定付けることで復旧を容易にする技術が開示されている（例えば、特許文献１）。
【０００３】
また、制御ソフトウェアを格納する記憶手段を複数持つことで自律復旧は可能である。しかし、保守者の手順誤りや保守回線の一時的な障害などにより冗長構成を取る記憶手段内に格納されている制御ソフトウェアが破壊された場合、自律復旧または遠隔からの復旧が不可能となり、装置そのものを交換する必要があった。また、ソフトウェア更新時のみでなく、設定データの誤りにより遠隔からの監視が不可能な状態に陥った場合も、同様に装置交換または現地での対応を余儀なくされていた。
【特許文献１】特開２００３−２４２０５４号公報
【発明の開示】
【発明が解決しようとする課題】
【０００４】
本発明は、通信装置の交換を行うことなく、遠隔からの復旧を可能とするシステム、通信装置、監視装置を提供することで、サービス停止の時間を短縮するとともに、遠隔からの監視が不可能な状態から通信装置を復旧可能とすることを目的とする。
【課題を解決するための手段】
【０００５】
本発明の監視システムは、
通信を行う通信装置と、前記通信装置を監視する監視装置とを備えた監視システムにおいて、
前記監視装置は、
前記通信装置の監視のための装置監視プロトコルにより前記通信装置を監視し、監視の結果、前記通信装置の異常を検知した場合に、前記装置監視プロトコルから独立した独立プロトコルにより前記通信装置の再起動を指示する再起動指示信号を前記通信装置に送信し、
前記通信装置は、
前記監視装置が前記独立プロトコルにより送信した前記再起動指示信号を受信し、受信した前記再起動指示信号に基づいて再起動することを特徴とする。
【発明の効果】
【０００６】
本発明によれば、遠隔からの制御プログラム更新に失敗し起動不可能となってしまった通信装置、あるいは通信条件の誤ったデータ設定により監視装置からの制御及び監視が不可能となってしまった通信装置を復旧するためのプログラムを遠隔の監視装置から取得し、プログラムやデータの復旧を速やかに行えるようになり、サービス停止からの復旧に要する時間を短縮できる。
【発明を実施するための最良の形態】
【０００７】
実施の形態１．
図１〜図９を用いて実施の形態１を説明する。図１は、本実施の形態１に係る監視システム１０００の構成図である。監視システム１０００は、無線通信装置１０１（通信装置の一例）と、遠隔からの監視制御を行う網監視装置３０１（監視装置の一例）と、無線通信装置１０１と網監視装置３０１とを中継する中継装置２０１とを備える。また、図２は、監視システム１０００におけるプロトコル関係図である。
【０００８】
中継装置２０１は、無線通信装置１０１からの主信号を通信網へ中継する機能と、網監視装置３０１への装置監視プロトコルの信号を異なるネットワーク層間への信号変換を行い、転送する信号振分け部２０２を持つ。
【０００９】
次に無線通信装置１０１の構成を説明する。無線通信装置１０１は、装置制御部１０２（ＣＰＵ：Ｃｅｎｔｒａｌ  Ｐｒｏｃｅｓｓｉｎｇ  Ｕｎｉｔ）、記憶装置１０３、通知用メモリ１０４、有線信号処理部１０５、ＦｌａｓｈＲＯＭ（Ｒｅａｄ  Ｏｎｌｙ  Ｍｅｍｏｒｙ）１０６及びアンテナ１０７を備える。装置制御部１０２は、ＣＰＵを備えており交換網及び端末との通信条件の設定や状態の監視を行う。また、後述のように、ブートプログラム（図５）や、復旧プログラム（図８）を読み込んで所定の処理を行う。記憶装置１０３は、「制御プログラム」と「設定データ」を格納する。通知用メモリ１０４は、装置制御部１０２と有線信号処理部１０５間の通信を行うために用いるメモリであり、後述のように有線信号処理部１０５から送られる信号内容を記憶する。有線信号処理部１０５は、中継装置２０１とのデータリンク層の通信を終端する。ＦｌａｓｈＲＯＭ１０６は、無線通信装置１０１の起動を行うブートプログラムを格納する。アンテナ１０７は図示しない通信部により他の装置との間で無線通信を行う。
【００１０】
有線信号処理部１０５は、制御信号翻訳部１５１、リセット制御部１５２、信号処理部１５３とを備える。制御信号翻訳部１５１は、ユーザデータ以外の信号のうち装置制御部１０２に通知する信号と有線信号処理部１０５で終端する信号を翻訳する。リセット制御部１５２は、制御信号により指示されるリセット制御を行う。信号処理部１５３は、ユーザデータ以外を装置制御部１０２へ振分ける。
【００１１】
次に、図３、図４を用いて動作を説明する。図３は、無線通信装置１０１をリセットするまでの過程を示すシーケンス図である。また、図４は、図３の過程を示すフローチャートである。具体的には、図３は、無線通信装置１０１に対して、網監視装置３０１により「制御プログラム」の更新、または「設定データ」の更新を行った際に、手順誤りなどにより、無線通信装置１０１の記憶装置１０３の内容（制御プログラム、設定データ）を破壊、もしくは誤った条件にしてしまったことを検出した網監視装置３０１による制御の流れを示している。
（１）網監視装置３０１は、「装置監視プロトコル」により無線通信装置１０１の制御及び監視が実施できないことを確認すると、「装置監視プロトコル」による制御を可能とするため、中継装置２０１に対して無線通信装置１０１のアドレス、網監視装置のアドレス、起動ファイル名を含む「ブート指示信号７０１」（再起動指示信号の一例）をデータリンク層のプロトコルに基づき送信する（Ｓ１１）。この場合、図２に示すように、無線通信装置１０１のデータリンク層のプロトコルは「プロトコルＤ」（独立プロトコルの一例）である。一方、網監視装置３０１のデータリンク層のプロトコルは「プロトコルＣ」（独立プロトコルの一例）である。中継装置２０１は、無線通信装置１０１と網監視装置３０１との間におけるデータリンク層間の異なるプロトコルの変換を行う。これら「プロトコルＣ」、「プロトコルＤ」は、保守監視に使用する装置監視プロトコルに依存しない、装置監視プロトコルから独立したプロトコルであって、装置監視プロトコルよりも下位のプロトコルである。本システムでは、前記「ブート指示信号７０１」をデータリンク層の信号を使用して網監視装置３０１から無線通信装置１０１に送信する点が一つの特徴である。これにより、制御プログラムや設定条件をダウンロードする場合の通信手段が実施不可能な場合であっても、レイヤの低いデータリンク層の信号を用いて無線通信装置１０１の復旧（再起動）を行うことにより、後述のように、「制御プログラム」や「設定条件」をダウンロードすることができ、遠隔から無線通信装置を復旧することができる。
（２）「ブート指示信号７０１」を受信した中継装置２０１は、プロトコル変換機能を有する信号振分け部２０２により、データリンク層の異なる接続間のプロトコル変換をした「ブート制御信号７０２」を、無線通信装置１０１に送信する（Ｓ１２）。
（３）有線信号処理部１０５はブート制御信号７０２を受信する。「ブート制御信号７０２」を受信した有線信号処理部１０５は、信号処理部１５３により、制御信号翻訳部１５１へ信号通知７０３により、信号の振分けを行う（Ｓ１３）。
（４）振分けられた信号（信号通知７０３）を受信した制御信号翻訳部１５１では、「ブート制御信号７０２」であることを判別すると、リセット制御部１５２に対して、信号内容（網監視装置アドレス、起動ファイル名）を格納した「リセット指示７０４」を送信する（Ｓ１４）。
（５）「リセット指示７０４」を受けたリセット制御部１５２は、通知用メモリ１０４に信号内容（網監視装置アドレス、起動ファイル名）を格納し、格納後に装置制御部１０２に対してリセット制御７０５を行う（Ｓ１５）。このように、更新対象となる装置制御部１０２のソフトウェアの機能を使用せずに、制御信号を用いて再起動時の動作条件を伝達することが可能となる。
【００１２】
次に、図５、図６を用いて、無線通信装置１０１（装置制御部１０２）のリセット後における、ブートプログラムによりファイル（再起動データの一例）を取得する動作を説明する。この場合、ブートプログラムが取得するファイルは、無線通信装置１０１の再起動に使用する復旧プログラム（再起動プログラム）を想定する。すなわち、網監視装置３０１は、「起動ファイル名」として「復旧プログラム名」を送信していたことを想定する。図５は、リセット制御を実施した後の、復旧プログラムを取得するシーケンス図である。また図６は、図５の過程を示すフローチャートである。
（１）リセット制御を受けた装置制御部１０２は、ＦｌａｓｈＲＯＭ１０６に格納されているブートプログラムを起動する（Ｓ２１）。
（２）ブートプログラムは、起動された場合にはハードウェアの初期設定などの起動処理を行う（Ｓ２２）。
（３）ブートプログラムは、起動処理中に通知用メモリ１０４を参照し、「ブート制御信号７０２」の内容（網監視装置アドレス、起動ファイル名）が格納されていると判断した場合には、「ブート制御信号７０２」にて指定された網監視装置３０１のアドレスと、起動ファイル名（復旧プログラム名）とを使用して、網監視装置３０１に対して「ファイル転送要求７０６」を送信する（Ｓ２３）。
（４）網監視装置３０１は「ファイル転送要求７０６」を受信すると、応答として無線通信装置１０１に「ファイル転送要求応答７０７」を送信する。そして、要求された復旧プログラムをファイル転送７０８として転送する（Ｓ２４）。
（５）ブートプログラムは、転送されたファイルである「復旧プログラム」を使用して起動処理を継続し、無線通信装置１０１を起動する（Ｓ２５）。
【００１３】
次に、図７を用いて前記ブートプログラム中で実行される起動方法決定の動作を説明する。図７は、ブートプログラム中で実行される起動方法の決定を示すフローチャートである。
（１）ブートプログラムは、ハードウェア初期設定処理（ＳＴ１０１）実施後、通知用メモリ１０４を参照する（ＳＴ１０２）。
（２）通知用メモリ１０４に信号内容（網監視装置アドレス、起動ファイル名）が格納されていない場合、ブートプログラムは、記憶装置１０３からの起動処理（ＳＴ１０９）を実行する。
（３）通知用メモリ１０４に信号内容（網監視装置アドレス、起動ファイル名）が格納されている場合は、ブートプログラムは、通知信号中の網監視装置３０１のアドレス、および起動ファイル名を使用して「ファイル転送要求７０６」を網監視装置３０１に送信する（ＳＴ１０５）。
（４）ブートプログラムは、「ファイル転送要求応答７０７」を受信し、ファイル転送処理（ＳＴ１０７）を実施する。
（５）ブートプログラムは、「ファイル転送要求応答７０７」が確認できない場合には、再度、「ファイル転送要求７０６」を網監視装置３０１に送信し、リトライ処理を継続する。
【００１４】
次に、図８、図９を用いて、「復旧プログラム」の動作を説明する。ここでは、上記のように、「ブート制御信号７０２」により指定された起動ファイル名は、「復旧プログラム名」であることを想定している。すなわち、図５において無線通信装置１０１が取得したファイルは「復旧プログラム」であることを想定している。そして以下では、この「復旧プログラム」による動作を説明する。
【００１５】
「復旧プログラム」は、「制御プログラム」と同様に、「装置監視プロトコル」による通信機能を有し、網監視装置３０１からの「制御プログラム」や、「設定データ」の更新を可能なものとする。図８は、「復旧プログラム」を起動した後の復旧過程のシーケンス図であり、復旧プログラムにより「制御プログラム」を取得するシーケンスを示している。また、図９は図８の過程を示すフローチャートである。
（１）起動された「復旧プログラム」は、網監視装置３０１に「起動完了通知７０９」を送信する（Ｓ３１）。
（２）「起動完了通知７０９」を受信した網監視装置３０１は、無線通信装置１０１内の記憶装置１０３に正常な「制御プログラム」を格納させるために、無線通信装置１０１に対して「制御プログラム」を送信することを通知する「ファイル転送通知７１０」を送信する（Ｓ３２）。
（３）無線通信装置１０１（復旧プログラム）は、「ファイル転送通知７１０」を受信すると、応答として網監視装置３０１に「ファイル転送通知応答７１１」を送信する（Ｓ３３）。
（４）網監視装置３０１は、「ファイル転送通知応答７１１」を受信すると、無線通信装置１０１にファイル転送７１２として、ファイル（制御プログラム）を転送する。ファイル転送７１２により無線通信装置１０１への「制御プログラム」の転送を完了すると、網監視装置３０１は、無線通信装置１０１に「ファイル格納指示７１３」を送信する（Ｓ３４）。
（５）「ファイル格納指示７１３」を受信した無線通信装置１０１（復旧プログラム）は、受信した「制御プログラム」を記憶装置１０３に格納し、「ファイル格納完了通知７１４」を網監視装置３０１に送信する（Ｓ３５）。
（６）「ファイル格納完了通知７１４」を受信した網監視装置３０１は、無線通信装置１０１に対して「リセット指示７１５」を送信する（Ｓ３６）。
（７）「リセット指示７１５」を受信した無線通信装置１０１（復旧プログラム）は、通知用メモリ１０４をクリアし、その後に装置リセットを実施する（Ｓ３７）。
（８）以上により、遠隔から制御プログラムの復旧を行い、再起動後には運用可能な状態に戻すことが可能となる。この場合、図７において、右側のＳＴ１０９のルートとなり記憶装置１０３に格納された制御プログラムの復旧を行うことができる。
【００１６】
本実施の形態１の監視システムによれば、網監視装置が装置監視プロトコルにより無線通信装置を監視し、無線通信装置の異常を検知した場合には、網監視装置が装置監視プロトコルに依存しない下位のプロトコル（独立プロトコル）により、ブート指示信号（再起動指示信号）を無線通信装置に送信する。このため、無線通信装置装置への遠隔からの制御プログラムの更新に失敗し無線通信装置が起動不可能となってしまった場合や、無線通信装置に対して通信条件の誤ったデータ設定を行ったために網監視装置からの制御や監視が不可能となってしまった場合に、無線通信装置を遠隔から復旧することができる。従って、現場での作業や無線通信装置の交換をする必要がなくなり、作業効率が向上する。
【００１７】
本実施の形態１の監視システムによれば、監視装置は、無線通信装置に送信するブート指示信号（再起動指示信号）に網監視装置のアドレスを含めて送信するので、無線通信装置において格納していた自身のアドレスあるいは網監視装置のアドレスが失われた場合にも、無線通信装置は、確実に網監視装置を特定して通信を行うことができる。
【００１８】
本実施の形態１の監視システムによれば、網監視装置は無線通信装置の復旧プログラム（再起動プログラム）を格納し、無線通信装置は網監視装置から復旧プログラムを取得するので、遠隔から無線通信装置を復旧することができる。
【００１９】
本実施の形態１の網監視装置は、装置監視プロトコルにより無線通信装置を監視し、無線通信装置の異常を検知した場合には、装置監視プロトコルに依存しない下位のプロトコル（独立プロトコル）により、ブート指示信号（再起動指示信号）を無線通信装置に送信して無線通信装置を再起動させるので、無線通信装置装置に対する遠隔からの制御プログラムの更新に失敗し無線通信装置が起動不可能となってしまった場合や、無線通信装置に対して通信条件の誤ったデータ設定を行ったために網監視装置からの制御や監視が不可能となってしまった場合にも、無線通信装置を遠隔から復旧することができる。
【００２０】
本実施の形態１の無線通信装置は、網監視装置から装置監視プロトコルに依存しない下位のプロトコル（独立プロトコル）により、ブート指示信号（再起動指示信号）を受信するので、遠隔からの制御プログラムの更新を受けて更新が失敗し起動不可能となった場合や、通信条件の誤ったデータ設定をされたため網監視装置からの制御や監視が不可能となってしまった場合にも、遠隔からの制御により復旧することができる。
【００２１】
本実施の形態１の監視システムによれば、ブート指示信号（再起動指示信号）は、装置監視プロトコルに依存しない、装置監視プロトコルよりも下位のプロトコル（独立プロトコル）により網監視装置から無線通信装置に向けて送信される。このため、プログラムをダウンロードするプロトコルが実行できない場合においても、無線通信装置を復旧することができる。
【００２２】
本実施の形態１における無線通信装置は、網監視装置３０１の指示により送られてきた制御信号の内容を翻訳して装置制御部１０２に通知する制御信号翻訳部１５１、制御信号翻訳部１５１の指示により無線通信装置１０１全体をリセットするリセット制御部１５２によりソフトウェアを介在しない遠隔リセットを行い、制御信号内容に従い無線通信装置の記憶装置１０３からではなく網監視装置３０１からのデータ転送により、プログラムをダウンロードし、無線通信装置１０１を起動するプログラム取得選択機能を具備することを特徴とする。
【００２３】
実施の形態２．
図１０、図１１を用いて実施の形態２を説明する。実施の形態１では網監視装置が無線通信装置の異常を検知した。これに対し、実施の形態２は、無線通信装置が自身の異常を検知し、網監視装置に異常を通知することにより、網監視装置が無線通装置の復旧を行う実施形態である。
【００２４】
図１０は、実施の形態２に係る監視システム２０００の構成図である。監視システム２０００は、複数の無線通信装置１０１ａ，１０１ｂ，１０１ｃと、中継装置２０１と、複数の網監視装置３０１ａ，３０１ｂとを備える。
【００２５】
中継装置２０１は、無線通信装置１０１ａ、無線通信装置１０１ｂ、無線通信装置１０１ｃなど複数の無線通信装置を配下に接続し、中継機能を提供する。また、網監視装置３０１ａ、網監視装置３０１ｂなどの複数の網監視装置と接続されており、状態を通知する機能も具備する。
【００２６】
無線通信装置１０１ａの起動処理を行う「ブートプログラム」において、「制御プログラム」の異常を検出した場合の通知シーケンスを図１１に示す。
（１）装置制御部１０２ａ（ブートプログラム）は、起動処理中に制御プログラムの異常を検出すると「異常通知信号７１６」を中継装置２０１に送信する。
（２）中継装置２０１は、「異常通知信号７１６」を受信すると、これを変換して、「ブート通知信号７１７」を網監視装置３０１ａに送信する。
（３）「ブート通知信号７１７」を網監視装置３０１ａに送信することにより、網監視装置３０１ａ、中継装置２０１、無線通信装置１０１ａは、図３、図５、図８に示すシーケンスにより「制御プログラム」の復旧を行う。
【００２７】
本実施の形態２の監視システムによれば、無線通信装置が自身の異常を検知して、異常を網監視装置に通知するので、迅速に復旧をすることができる。
【００２８】
実施の形態１の監視システム１０００及び実施の形態２の監視システム２０００によれば、無線基地局（装置）など、保守員が容易に架前での作業ができない装置について、機能の変更や追加のための制御プログラムの更新をするために網監視装置などから遠隔更新が必要となる装置に異常が発生した場合の復旧に利用することができる。
【００２９】
上記実施の形態１〜実施の形態２においては、無線通信装置は、無線通信装置が装置監視プロトコルによる遠隔からの制御ができない状態において、データリンク層の信号を使用して、遠隔から無線通信装置の再起動を指示する制御信号（再起動指示信号）により無線通信装置の再起動を行う機構を具備し、再起動後の振舞いを決定付ける信号内容を再起動後においても保持するための記憶装置を具備し、再起動する機構を有することを特徴とする。
【００３０】
上記実施の形態１〜実施の形態２において、前記の装置監視システムは、制御信号受信後の再起動において、制御信号内容に従い遠隔装置（網監視装置）からプログラムを取得し無線通信装置を起動することを特徴とする。
【００３１】
上記実施の形態１〜実施の形態２において、前記装置監視システムは、再起動する機構を有する無線通信装置と、無線通信装置の再起動に必要なアドレス、ファイル情報等を無線通信装置に送信する網監視装置とを備えたことを特徴とする。
【００３２】
上記実施の形態１〜実施の形態２において、前記の装置監視システムは、無線通信装置が起動不可能な状態の場合に、起動処理で自律的に異常通知信号を送信する機構を具備することを特徴とする。
【図面の簡単な説明】
【００３３】
【図１】実施の形態１における監視システム１０００の構成図である。
【図２】実施の形態１におけるプロトコル関係図である。
【図３】実施の形態１における無線通信装置１０１をリセットするまでの過程を示すシーケンス図である。
【図４】図３の過程を示すフローチャートである。
【図５】実施の形態１における復旧プログラムの取得のシーケンス図である。
【図６】図５の過程を示すフローチャートである。
【図７】実施の形態１におけるブートプログラム中で実行される起動方法の決定を示すフローチャートである。
【図８】実施の形態１における制御プログラムを取得するシーケンス図である。
【図９】図８の過程を示すフローチャートでる。
【図１０】実施の形態２における監視システム２０００の構成を示す図である。
【図１１】実施の形態２における異常検出時の通知を示すシーケンス図である。
【符号の説明】
【００３４】
１０１，１０１ａ，１０１ｂ，１０１ｃ  無線通信装置、１０２  装置制御部、１０３  記憶装置、１０４  通知用メモリ、１０５  有線信号処理部、１０６  ＦｌａｓｈＲＯＭ、１０７  アンテナ、１５１  制御信号翻訳部、１５２  リセット制御部、１５３  信号処理部、２０１  中継装置、２０２  信号振分け部、３０１  網監視装置、７０１  ブート指示信号、７０２  ブート制御信号、７０３  信号通知、７０４  リセット指示、７０５  リセット制御、７０６  ファイル転送要求、７０７  ファイル転送要求応答、７０８  ファイル転送、７０９  起動完了通知、７１０  ファイル転送通知、７１１  ファイル転送通知応答、７１２  ファイル転送、７１３  ファイル格納指示、７１４  ファイル格納完了通知、７１５  リセット指示、７１６  異常通知信号、７１７  ブート通知信号、１０００，２０００  監視システム。
【図１】
2006108965.tif 000003
【図２】
2006108965.tif 000004
【図３】
2006108965.tif 000005
【図４】
2006108965.tif 000006
【図５】
2006108965.tif 000007
【図６】
2006108965.tif 000008
【図７】
2006108965.tif 000009
【図８】
2006108965.tif 000010
【図９】
2006108965.tif 000011
【図１０】
2006108965.tif 000012
【図１１】
2006108965.tif 000013